(57)【要約】【課題】基板部材が薄くなった場合でも基板部材に装着されるピックアップ装置の位置決めや移動位置制御が精密に行うことでき、さらにピックアップ装置の配線ケーブルを確実に保持する保持部を簡単に形成できるピックアップ装置取付構造を提供することを目的とするものである。【解決手段】金属製の基板２の中央部分には矩形状の開口部５が穿設されており、その全周にわたってリブ１５が形成されている。開口部５の中央部分にはリブ１５に一体形成された保持部１６が架設されており、保持部１６の矩形状の平板部１８には合成樹脂製のケーブル固定部材１９が装着されている。ケーブル固定部材１９には、爪部２３、２４及び２５が突設され、略直角に折り曲げられたケーブル１１が爪部の間に装着されている。【選択図】        図２
2004241056.tif 000002
【特許請求の範囲】
【請求項１】
中央部に略矩形状の開口部が形成された金属製の基板部材と、前記開口部を挟んで平行となるように設定されるとともにそれぞれの両端部が前記基板部材の一方の面に固定された一対のガイド部材と、前記ガイド部材に摺動自在に装着されて前記開口部内を移動可能なピックアップ装置とを備えたピックアップ装置取付構造であって、前記基板部材の他方の面側において、前記開口部の周囲に突設するように一体形成されたリブと、前記ピックアップ装置に接続された配線ケーブルを保持するとともに前記開口部を跨ぐように前記リブに架設されて一体形成された保持部を備えていることを特徴とするピックアップ装置取付構造。
【請求項２】
前記リブは、前記開口部の全周にわたって突設されていることを特徴とする請求項１に記載のピックアップ装置取付構造。
【請求項３】
前記保持部には、合成樹脂製の配線ケーブル固定部材が装着されていることを特徴とする請求項１又は２に記載のピックアップ装置取付構造。
【請求項４】
前記配線ケーブル固定部材は、アウトサート成型により前記保持部に装着されていることを特徴とする請求項３に記載のピックアップ装置取付構造。
【請求項５】
前記配線ケーブル固定部材には、前記配線ケーブルの折り曲げ部分を保持するために複数の爪部が前記配線ケーブルの両側位置に突出して形成されていることを特徴とする請求項３又は４に記載のピックアップ装置取付構造。
【請求項６】
前記配線ケーブル固定部材は、配線ケーブルの折り重ねられた重合部分に対応する面に凹部が形成されており、該重合部分から延びる配線ケーブル部分において両側位置に前記爪部が形成されているとともに該配線ケーブル部分に対応する面には湾曲部が前記凹部より高く形成されていることを特徴とする請求項５に記載のピックアップ装置取付構造。
【発明の詳細な説明】
【０００１】
【発明の属する技術分野】
本発明は、ＣＤ、ＤＶＤ等のディスクドライブ装置におけるピックアップ装置の取付構造に関する。
【０００２】
【従来の技術】
ＣＤ、ＤＶＤ等のディスクドライブ装置では、情報記録ディスクを高速で回転させながら、その記録面上にピックアップ装置を移動させて情報を読み取っているが、高密度に記録された情報記録ディスクを高速で読み取るためにはピックアップ装置の位置制御が精密に行われる必要がある。そのため、金属製の基板部材に情報記録ディスクの回転駆動装置とピックアップ装置とを装着してその位置決めが正確に行われるようにしている。そして、ピックアップ装置の移動を行うための移動制御装置も同一の基板部材に装着してピックアップ装置の読取位置の精密な制御を行うようにしている。また、ピックアップ装置に接続された配線ケーブルついては、基板部材にその保持部を設けて一旦保持した後外部に取り出すようにして、ピックアップ装置が移動する際に邪魔にならないようにされている。
【０００３】
近年こうしたディスクドライブ装置では、上述したピックアップ装置等を取り付ける取付構造について様々な改良が提案されている。例えば、特許文献１では、ピックアップ装置に接続されたフレキシブルフラットケーブルの固定構造として、シャーシの凹陥部に四角形に膨出した台座部及びその台座部に設けられた固定爪からなるケーブル固定部を形成した点が記載されている。
【０００４】
【特許文献１】
特開平１０−２５６７５９号公報
【０００５】
【発明が解決しようとする課題】
上述したディスクドライブ装置では、従来より軽量化、薄型化といった技術的課題があり、ピックアップ装置の取付構造についてもそうした観点からの改良が望まれている。軽量化の観点からは、金属製の基板部材を薄くすることが考えられるが、薄くすると撓みが生じやすくなり、基板に装着されるディスクの回転駆動装置とピックアップ装置との位置決めが精密に行うことが困難になるおそれがある。また、例えば、特許文献１のように、基板部材を加工して凹陥部やケーブル固定部等の複雑な形状に成形する場合、基板部材にある程度の厚みがないと加工部分で割れる等のトラブルが発生するおそれがある。
【０００６】
そこで、本発明は、基板部材が薄くなった場合でも基板部材に装着されるピックアップ装置の位置決めや移動位置制御が精密に行うことでき、さらにピックアップ装置の配線ケーブルを確実に保持する保持部を簡単に形成できるピックアップ装置取付構造を提供することを目的とするものである。
【０００７】
【課題を解決するための手段】
本発明に係るピックアップ装置取付構造は、中央部に略矩形状の開口部が形成された金属製の基板部材と、前記開口部を挟んで平行となるように設定されるとともにそれぞれの両端部が前記基板部材の一方の面に固定された一対のガイド部材と、前記ガイド部材に摺動自在に装着されて前記開口部内を移動可能なピックアップ装置とを備えたピックアップ装置取付構造であって、前記基板部材の他方の面側において、前記開口部の周囲に突設するように一体形成されたリブと、前記ピックアップ装置に接続された配線ケーブルを保持するとともに前記開口部を跨ぐように前記リブに架設されて一体形成された保持部を備えていることを特徴とする。さらに、前記リブは、前記開口部の全周にわたって突設されていることを特徴とする。さらに、前記保持部には、合成樹脂製の配線ケーブル固定部材が装着されていることを特徴とする。さらに、前記配線ケーブル固定部材は、アウトサート成型により前記保持部に装着されていることを特徴とする。また、前記配線ケーブル固定部材には、前記配線ケーブルの折り曲げ部分を保持するために複数の爪部が前記配線ケーブルの両側位置に突出して形成されていることを特徴とする。さらに、前記配線ケーブル固定部材は、配線ケーブルの折り重ねられた重合部分に対応する面に凹部が形成されており、該重合部分から延びる配線ケーブル部分において両側位置に前記爪部が形成されているとともに該配線ケーブル部分に対応する面には湾曲部が前記凹部より高く形成されていることを特徴とする。
【０００８】
上記のような構成を有することで、基板部材に開口部が形成されて軽量化が図られると共に、開口部の周囲にリブが形成されて基板部材の強度が向上して撓み等の発生を防止することができる。そして、開口部の開口範囲内においてピックアップ装置を移動可能とすることで、取付構造全体の薄型化を進めることができる。また、そのガイド部材が開口部を挟んで基板部材にその両端部が固定されているため、開口部周囲の強度がリブによって高められることで、ガイド部材の位置決めを確実に行うことができるようになり、ピックアップ装置の位置制御を精密に行うことができるようになる。また、リブに配線ケーブルの保持部を開口部を跨ぐように架設することで、基板部材の強度をさらに高めることができ、そして、リブに一体形成することで容易に一体加工成形することが可能となる。
【０００９】
さらに、保持部に合成樹脂製の配線ケーブル固定部材を装着することで、配線ケーブルを傷つけることなく取付作業を行うことができる。すなわち、保持部自体に爪部等を形成して配線ケーブルを取付ける場合、保持部が金属製で形成されていると配線ケーフルが爪部と接触する際に傷つくおそれがあったが、合成樹脂製の配線ケーブル固定部材の場合こうした問題は生じない。また、保持部自体に爪部を形成することは複雑な加工が必要となり、保持部自体にある程度の厚みも必要となるが、保持部に別途合成樹脂製の配線ケーブル固定部材を装着すれば、こうした加工も不要で保持部自体の厚さも薄くすることができる。そして、合成樹脂製の配線ケーブル固定部材をアウトサート成型により保持部に装着すれば、簡単にその装着を行うことが可能となる。
【００１０】
また、配線ケーブルの折り曲げ部分を保持するために、配線ケーブル固定部材は、配線ケーブルの折り重ねられた重合部分に対応する面に凹部を形成することで、重合部分の挿入を容易にするとともに、該重合部分から延びる配線ケーブル部分において両側位置に爪部を形成して該配線ケーブル部分に対応する面に湾曲部を凹部より高く形成することで配線ケーブルが爪部から外れにくくなる。なお、凹部とは、保持部の表面が露出して（配線ケーブル固定部材を切り欠いた状態）いる場合も含む。
【００１１】
【発明の実施の形態】
以下、本発明に係る実施形態について詳しく説明する。図１は、本発明に係るピックアップ装置取付構造の概略斜視図で、ピックアップ装置が装着された側を示している。そして、図２は、その反対側から見た概略斜視図であり、ピックアップ装置に接続された配線ケーブルの保持部が形成された側を示している。
【００１２】
取付構造１は、図１に示すように、金属製の矩形状基板２の一方の面にディスクを回転させるためのスピンドルモータ３、ピックアップ装置４を所定方向にガイドするレール状のガイド７ａ、７ｂが取付けられている。基板２には、こうした部品を取付けるための複数の取付孔が必要に応じて穿設されている。特に、基板２の中央部には、略矩形状の開口部５が穿設されている。スピンドルモータ３は、下面を基板２上にネジにより固定されており、上面にはディスクが装着されるターンテーブル６がモータ３の回転軸に固定されている。
【００１３】
ピックアップ装置４には、両側にガイド７ａを挿通する挿通部８及びガイド７ｂに嵌合する嵌合部９が設けられており、ガイド７ａ、７ｂは、それぞれ開口部５の両側に沿って配設されるように、基板２上に固定されたガイド支持部材１０ａ、１０ｂにその両端部を嵌め込まれている。そして、ピックアップ装置４は、開口部５の開口範囲内をターンテーブル６の方向に移動して、ターンテーブル６に装着されたディスクの下面に記録された情報を読み取るようになっている。ピックアップ装置４に接続される配線ケーブルとして、フレキシブルフラットケーブル１１（以下「ケーブル」と略称する。）が装着されている。ケーブル１１は、ピックアップ装置４の側部に接続されて、後述するようにピックアップ装置４の下方に配設された保持部に折り曲げた状態で取り付けられ、外部に延長して図示されていない制御装置に接続している。ピックアップ装置４の位置制御のために送りモータ１２が基板２の側部に固定されており、送りモータ１２の回転駆動は、駆動歯車１３により歯車伝達機構１４に伝達される。歯車伝達機構１４は、ピックアップ装置４の挿通部８に装着された図示されない公知のラック機構に接続されており、送りモータ１２の回転によりピックアップ装置４を所定の位置に移動させることができる。
【００１４】
図２に示すように、開口部５には、その全周にわたって所定幅のリブ１５が基板２から突設するように一体形成されている。そして、開口部５の略中央部分に、ケーブル１１を保持するための保持部１６がリブ１５に一体的に取付けられている。保持部１６は、矩形状の平板部１８をその四隅に形成された取付足部１７でリブ１５に取付けられるようになっている。
【００１５】
開口部５の全周にリブ１５が一体に形成されることで、基板２全体の強度を高めることができ、さらに開口部５の周囲に固定されるガイド支持部材１０ａ、１０ｂの位置決めを正確に行うことができ、その結果ガイド７ａ、７ｂでのピックアップ装置４の位置制御を精密に行うことが可能となる。また、保持部１６がリブ１５に一体形成することでさらに開口部５周囲の強度が向上する。また、リブ１５から取付足部１７を折り曲げることなく形成すれば、保持部１６の機械加工が簡単に行うことができる。
【００１６】
平板部１８には、ケーブル１１の折り曲げ部分を取付けるための合成樹脂製のケーブル固定部材１９が装着されている。ケーブル固定部材１９は、図３の斜視図に示すように、略コ字状の取付基体部２０に平板部１８に沿って延設された枠部２１が一体形成されている。図４（ａ）の平面図に示すように、枠部２１は、ケーブル１１の略直角に折り曲げた部分（一点鎖線）に沿うように略三角形状をしており、その囲まれた部分には平板部１８の表面が露出する凹部２２が形成される。なお、凹部２２は、平板部１８が露出することなくケーブル固定部材１９に段差を設けて形成してもよい。
【００１７】
枠部２１には、爪部２３、２４及び２５が突設されている。爪部２３及び２４は、取付基体部２０との接続部分付近に配設されており、爪部２５は、ケーブル１１の折り曲げ部分の背部に沿った枠部２１の斜めに形成された部分に配設されている。図４（ｂ）の紙面下方向から見た正面図に示すように、爪部２３及び２４は、取付基体部２０の上面との間にケーブル１１の厚み程度の間隔を空けて板状の係止部を有している。また、図４（ｃ）の紙面左方向から見た側面図に示すように、爪部２５は、凹部２２の底面からケーブル１１の厚みの２倍程度の間隔を空けて板状の係止部を有している。そして、爪部２３及び２４の爪部２５側の側面は、紙面右方向から挿入されるケーブル１１の側面に沿って直線状に形成されている。また、爪部２３及び２４の枠部２１に取付けられた根元部分の間の間隔は、ケーブル１１の幅方向の長さと略同一に設定されている。
【００１８】
取付基体部２０には、爪部２３及び２４の間に枠部２１の方に膨出して延設された湾曲部２６が形成されており、その厚さは取付基体部２０の他の部分と同じ厚さとなっている。湾曲部２６は、その先端が爪部２３及び２４の爪部２５側の側面と同じ位置となるまで延設されている。
【００１９】
ケーブル１１は、図２に示すように、ピックアップ装置４からＵ字状に湾曲して爪部２３及び２４の間に挿入されている。爪部２３及び２４の間の間隔は、上述のようにケーブル１１の幅方向の長さと略同一に設定されており、また、爪部２３及び２４の間には湾曲部２６が形成されているため、爪部２３及び２４の間ではケーブル１１は幅方向に若干撓んだ状態となっている。その状態が図４のＡ−Ａ断面図である図５に示されている。この図からわかるように、ケーブル１１は、湾曲部２６により上方に撓んだ状態となっている。そして、爪部２３及び２４の間を通過後ケーブル１１は平板部１８の方（紙面奥行きの方）に向かって４５度の折目線で折り曲げられて略直角方向（紙面右方向）に延びていくようにされており、折り曲げられてケーブル１１が重合する部分がちょうど凹部２２に収まるようになっている。その状態を図４のＢ−Ｂ断面図である図６に示す。図６からもわかるように、爪部２５と凹部２２との間の間隔はケーブル１１の厚みの２倍程度あるので、ケーブル１１の重合部分の上側ケーブルの上面が爪部２５の係止部により係止され、重合部分の下側ケーブルの側面が湾曲部２６の先端及び爪部２３の爪部２５側の側面によって規制されている。
【００２０】
以上のように、ケーブル１１がケーブル固定部材１９に保持されているので、例えば、紙面上下方向には、爪部２５及び爪部２３によりその移動が規制され、紙面左右方向には、爪部２３及び２４によりその移動が規制される。また、湾曲部２６によりケーブル１１が撓んだ状態で保持されると共に、その先端がケーブル１１の側面に当接することで、ケーブル１１のガタツキも抑えることができる。
【００２１】
ケーブル１１をケーブル固定部材１９に装着する場合には、ケーブル１１を略直角に折り曲げた状態で爪部２４及び２５にその側面を当接した後爪部２３にケーブル１１を幅方向に撓ませながら嵌め込めばよく、装着も簡単に行うことができる。
【００２２】
そして、ケーブル固定部材１９は、合成樹脂製で形成されているため、爪部等でケーブル１１に接触してもケーブル１１が傷つくといったことがなくなるとともにその加工成形を簡単に行うことが可能となる。特に、アウトサート成型により平板保持部１８にケーブル固定部材１９を形成すれば、効率よく形成することができる。
【００２３】
上述した実施形態では、３つの爪部を設けた例で説明したが、爪部２４及び２５を一体とした爪部で構成してもよく、この例に限定されることはない。
【００２４】
【発明の効果】
以上に説明したとおり、本発明では、基板部材に開口部が形成されて軽量化が図られると共に、開口部の周囲にリブが形成されて基板部材の強度が向上して撓み等の発生を防止することができる。そして、開口部の開口範囲内においてピックアップ装置を移動可能とすることで、取付構造全体の薄型化を進めることができる。また、そのガイド部材が開口部を挟んで基板部材にその両端部が固定されているため、開口部周囲の強度がリブによって高められることで、ガイド部材の位置決めを確実に行うことができるようになり、ピックアップ装置の位置制御を精密に行うことができるようになる。また、リブに配線ケーブルの保持部を開口部を跨ぐように架設することで、基板部材の強度を高めることができ、そして、リブに一体形成することで容易に一体加工成形することが可能となる。
【００２５】
さらに、保持部に合成樹脂製の配線ケーブル固定部材を装着することで、配線ケーブルを傷つけることなく取付作業を行うことができる。すなわち、保持部自体に爪部等を形成して配線ケーブルを取付ける場合、保持部が金属製で形成されていると配線ケーフルが爪部と接触する際に傷つくおそれがあったが、合成樹脂製の配線ケーブル固定部材の場合こうした問題は生じない。また、保持部自体に爪部を形成することは複雑な加工が必要となり、保持部自体にある程度の厚みも必要となるが、保持部に別途合成樹脂製の配線ケーブル固定部材を装着すれば、こうした加工も不要で保持部自体の厚さも薄くすることができる。そして、合成樹脂製の配線ケーブル固定部材をアウトサート成型により保持部に装着すれば、簡単にその装着を行うことが可能となる。
【００２６】
また、配線ケーブルの折り曲げ部分を保持するために、配線ケーブル固定部材は、配線ケーブルの折り重ねられた重合部分に対応する面に凹部を形成することで、重合部分の挿入を容易にするとともに、該重合部分から延びる配線ケーブル部分において両側位置に爪部を形成して該配線ケーブル部分に対応する面に湾曲部を凹部より高く形成することで配線ケーブルが爪部から外れにくくなる。
【図面の簡単な説明】
【図１】本発明に係る実施形態の一方の側からみた概略斜視図である。
【図２】本発明に係る実施形態の他方の側からみた概略斜視図である。
【図３】本発明に係るケーブル固定部材の概略斜視図である。
【図４】本発明に係るケーブル固定部材の平面図、正面図及び側面図である。
【図５】図４のＡ−Ａ断面図である。
【図６】図４のＢ−Ｂ断面図である。
【符号の説明】
１    取付構造
２    基板
３    スピンドルモータ
４    ピックアップ装置
５    開口部
６    ターンテーブル
７    ガイド
１０    ガイド支持部材
１１    フレキシブルフラットケーブル
１６    保持部
１７    取付足部
１８    平板部
１９    ケーブル固定部材
２０    取付基体部
２１    枠部
２２    凹部
２３    爪部
２４    爪部
２５    爪部
２６    湾曲部
【図１】
2004241056.tif 000003
【図２】
2004241056.tif 000004
【図３】
2004241056.tif 000005
【図４】
2004241056.tif 000006
【図５】
2004241056.tif 000007
【図６】
2004241056.tif 000008